(57)【要約】【課題】各部屋に供給される換気量を一定に維持することができる空調換気システムを提供する。【解決手段】本発明による空調換気システム２は、空調風３６を生成する空調装置６と、前記空調装置６と家屋１の部屋Ａ〜Ｅの内部とを接続し、部屋内へ前記空調風３６を供給する空調用空気供給管路７と、外気２４を取り込む換気装置２３と、前記換気装置２３からの空気３７を送給する換気用空気送給管路２５と、を備えている。前記換気用空気送給管路２５は、一端２５ａが前記換気装置２３に接続されると共に他端２５ｂが前記空調用空気供給管路７の途中に設けられた合流部２０に接続されている。【選択図】図３
2012107845.tif 000002
【特許請求の範囲】
【請求項１】
空調風を生成する空調装置と、
前記空調装置と建築物の部屋内とを接続し、部屋内へ前記空調風を供給する空調用空気供給管路と、
外気を取り込む換気装置と、
前記換気装置からの空気を送給する換気用空気送給管路と、を備え、
前記換気用空気送給管路は、一端が前記換気装置に接続されると共に他端が前記空調用空気供給管路の途中に設けられた合流部に接続されてなることを特徴とする空調換気システム。
【請求項２】
前記換気装置から換気用空気送給管路および空調用空気供給管路を介して前記部屋内に供給される空気の供給量が、前記空調装置の運転状況にかかわらず常に一定に維持されるように、前記合流部を構成したことを特徴とする請求項１に記載の空調換気システム。
【発明の詳細な説明】
【技術分野】
【０００１】
本発明は、空調装置と換気装置とを備える空調換気システムに関する。
【背景技術】
【０００２】
従来から、住宅等の建物内の複数の部屋を対象として空調および換気を行う空調換気システムが知られている。この空調換気システムとして、例えば換気装置と空調装置とを直列に配置し、これらの換気装置および空調装置を通過した空調風を各部屋内へ供給するタイプのものがある（例えば、特許文献１参照）。
【先行技術文献】
【特許文献】
【０００３】
【特許文献１】特開２００７−１８７３３５号公報
【発明の概要】
【発明が解決しようとする課題】
【０００４】
しかしながら、前述の特許文献１に記載された空調換気システムでは、換気装置と空調装置とを直列に配置しているため、空調装置の運転状態によって各部屋に供給される空調風の吹出量が変化し、換気量を一定して確保することが困難であった。
【０００５】
そこで、本発明は、各部屋に供給される換気量を一定に維持することができる空調換気システムを提供することを目的としている。
【課題を解決するための手段】
【０００６】
前記目的を達成するために、本発明に係る空調換気システムは、空調風を生成する空調装置と、前記空調装置と建築物の部屋内とを接続し、部屋内へ前記空調風を供給する空調用空気供給管路と、外気を取り込む換気装置と、前記換気装置からの空気を送給する換気用空気送給管路と、を備え、前記換気用空気送給管路は、一端が前記換気装置に接続されると共に他端が前記空調用空気供給管路の途中に設けられた合流部に接続されてなることを最も主要な特徴とする。
【発明の効果】
【０００７】
本発明によれば、空調装置の運転状態が変化しても換気装置からの新鮮な空気を部屋に常時供給することができる。さらに、換気用空気送給管路を空調用空気供給管路の途中に接続させることにより、空調用空気供給管路が換気用空気送給管路をも兼ねるため、空調用空気供給管路と換気用空気送給管路とをそれぞれ独立して部屋まで配索するよりも効率的である。
【図面の簡単な説明】
【０００８】
【図１】本発明の実施形態による空調換気システムを設けた家屋全体を概略的に示す断面図である。
【図２】本発明の実施形態による空調換気システムを概略的に示す断面図である。
【図３】図２の空調換気システムにおける空気の流れを概略的に示す断面図である。
【発明を実施するための形態】
【０００９】
以下、本発明の実施形態を図面に基づき説明する。
【００１０】
図１に示すように、この家屋１には、本発明の実施形態による空調換気システム２が配設されている。本実施形態では、建築物である家屋１の内部に５つの部屋Ａ〜Ｅが設けられており、それぞれの部屋Ａ〜Ｅの天井には、室内吹出口３が設けられている。前記室内吹出口３からは、前記空調換気システム２からの空気が部屋内に向けて吹き出すように構成されている。
【００１１】
家屋１の外には、室外機４が配置され、この室外機４は熱輸送媒体搬送管路５を介して空調装置６に接続されている。空調装置６からは複数の空調用空気供給管路７が延びており、これらの空調用空気供給管路７は各部屋Ａ〜Ｅの室内吹出口３にそれぞれ１本ずつ接続されている。なお、本実施形態では、図１に示すように、部屋の数は５つであるため、空調用空気供給管路７も５本配設されている。具体的には、第１の空調用空気供給管路１１は部屋Ａに向けて延び、第２の空調用空気供給管路１２は部屋Ｂに向けて延び、第３の空調用空気供給管路１３は部屋Ｃに向けて延び、第４の空調用空気供給管路１４は部屋Ｄに向けて延び、第５の空調用空気供給管路１５は部屋Ｅに向けて延びている。
【００１２】
一方、家屋１の上部には換気用外気導入口２１が配設されており、前記換気用外気導入口２１は、外気導入管路２２を介して換気装置２３に接続されている。外気２４は換気用外気導入口２１から外気導入管路２２を通って換気装置２３に送られる。また、詳細には後述するように、換気装置２３から延びる換気用空気送給管路２５は空調用空気供給管路７のそれぞれに接続されている。従って、換気装置２３からの空気は、換気用空気送給管路２５と空調用空気供給管路７を通って室内吹出口３から部屋Ａ〜Ｅの内部に供給される。このように、各部屋内においては、一つの室内吹出口３から換気装置２３からの空気（換気風）３７と空調装置６からの空調風３６とが供給されるように構成されている。なお、それぞれの部屋を仕切る壁２６の下端部には、空気流通口２７が形成されており、所定の部屋内の空気が隣の部屋に流れるように構成されている。
【００１３】
更に、部屋Ａ〜Ｅの内部に供給された空調装置６からの空調風３６と換気装置２３からの空気（換気風）３７は、家屋１に配設された不図示の還流口から還流管路８を通って空調装置６へ還流するように構成されている。
【００１４】
そして、図２に示すように、本実施形態に係る空調換気システム２は、空調風３６を生成する空調装置６と、前記空調装置６と部屋Ａ〜Ｅの内部とを接続し、部屋内へ前記空調風３６を供給する空調用空気供給管路７と、外気２４を取り込む換気装置２３と、前記換気装置２３からの空気を送給する換気用空気送給管路２５と、を備えている。
【００１５】
前記空調装置６には、還流管路８が接続されており、この還流管路８を介して空調装置６に部屋Ａ〜Ｅの内部に供給された空調風３６と空気（換気風）３７が取り込まれる。また、空調装置６の内部には送風機２８が配設されており、前部には開閉可能に支持されたダンパ２９が設けられている。そして、空調装置６の前部から部屋Ａ〜Ｅの室内吹出口３まで５本の空調用空気供給管路７が延びている。前記送風機２８を作動させ、ダンパ２９を開くと空調用空気供給管路７へ空調風を供給させることができ、前記送風機２８を停止させ、ダンパ２９を閉じると空調用空気供給管路７への空調風の供給を停止させることができる。
【００１６】
前記換気装置２３には、外気導入管路２２が接続されており、この外気導入管路２２を介して換気装置２３に換気用外気導入口２１からの外気２４が取り込まれる。また、換気装置２３の内部には送風機３０が配設されており、換気装置２３の前部から５本の換気用空気送給管路２５が延びている。これらの換気用空気送給管路２５は、一端２５ａが前記換気装置２３の前部に接続されると共に他端２５ｂが前記空調用空気供給管路７の途中に設けられた合流部２０にそれぞれ接続されている。具体的には、第１の換気用空気送給管路３１は第１の空調用空気供給管路１１に接続され、第２の換気用空気送給管路３２は第２の空調用空気供給管路１２に接続され、第３の換気用空気送給管路３３は第３の空調用空気供給管路１３に接続され、第４の換気用空気送給管路３４は第４の空調用空気供給管路１４に接続され、第５の換気用空気送給管路３５は第５の空調用空気供給管路１５に接続されている。
【００１７】
ここで、空調用空気供給管路７は、換気用空気送給管路２５よりも断面積が大きい太径に形成されている。従って、換気用空気送給管路２５の途中部分に空調用空気供給管路７を接続するよりも、空調用空気供給管路７の途中部分に換気用空気送給管路２５を接続する方が、部屋に供給する空気量を大きくすることができるため有利である。
【００１８】
次に、図３を用いて空気の流れを説明する。
【００１９】
部屋の温度や湿度等が規定範囲外の場合は、空調装置６が稼働し、図３に示すように、室外機４（図１参照）から熱輸送媒体搬送管路５を介して空調装置６に熱輸送媒体が導入される。空調装置６では送風機２８も作動しているため、ダンパ２９が開くと空調装置６から空調用空気供給管路７に不図示の熱交換器で熱輸送媒体と熱交換された空調風３６が送給され、図１に示す室内吹出口３から空調風３６が部屋内に供給される。また、部屋Ａ〜Ｅの温度や湿度等が規定範囲内の場合は、空調装置６の稼働が止まり、送風機２８の作動も停止するため、熱輸送媒体の導入も停止される。そして、ダンパ２９が閉じると空調装置６から空調用空気供給管路７への空調風３６の送給が停止され、図１に示す室内吹出口３からの空調風３６の供給も停止される。
【００２０】
また、換気装置２３は、常時稼働している。即ち、送風機３０は常に作動しており、換気用外気導入口２１（図１参照）から外気導入管路２２を介して換気装置２３に空気が導入されている。また、換気装置２３から換気用空気送給管路２５を介して空調用空気供給管路７に換気装置２３からの空気が送給される。こののち、空調用空気供給管路７および室内吹出口３を介して各部屋Ａ〜Ｅの内部に換気装置２３からの空気が吹き出される。
【００２１】
なお、換気装置２３は常時稼働しているが、空調装置６は稼働しないときもある。従って、空調装置６が稼働しているときは、空調用空気供給管路７の内部は、空調装置６からの空調風３６と換気装置２３からの空気３７とが混合して流れている。一方、空調装置６が稼働していないときは、空調用空気供給管路７の内部は、換気装置２３からの空気３７のみが流れている。このように、本実施形態では、空調装置６の稼働の有無にかかわらず、部屋Ａ〜Ｅの室内吹出口３から換気装置２３からの空気３７が一定量吹き出すように構成されている。
【００２２】
次いで、本実施形態による作用効果を説明する。
【００２３】
（１）本実施形態による空調換気システム２は、空調風３６を生成する空調装置６と、前記空調装置６と家屋１（建築物）の部屋Ａ〜Ｅの内部とを接続し、部屋内へ前記空調風３６を供給する空調用空気供給管路７と、外気２４を取り込む換気装置２３と、前記換気装置２３からの空気（換気風）３７を送給する換気用空気送給管路２５と、を備えている。前記換気用空気送給管路２５は、一端２５ａが前記換気装置２３に接続されると共に他端２５ｂが前記空調用空気供給管路７の途中に設けられた合流部２０に接続されている。
【００２４】
これにより、空調装置６の運転状態が変化しても換気装置２３からの新鮮な空気３７を各部屋Ａ〜Ｅに常時供給することができる。また、空調用空気供給管路７の方が換気用空気送給管路２５よりも断面積の大きい太径に形成されているため、換気用空気送給管路２５の途中に空調用空気供給管路７を合流させるよりも送給効率が良い。さらに、換気用空気送給管路２５を空調用空気供給管路７の途中に接続させることにより、空調用空気供給管路７が換気用空気送給管路２５をも兼ねるため、空調用空気供給管路７と換気用空気送給管路２５とをそれぞれ独立して部屋まで配索するよりも効率的である。
【００２５】
（２）前記換気装置２３から換気用空気送給管路２５および空調用空気供給管路７を介して前記部屋Ａ〜Ｅの内部に供給される空気３７の供給量が、前記空調装置６の運転状況にかかわらず常に一定に維持されるように、前記合流部２０を構成している。
【００２６】
従って、空調装置６が稼働しているとき及び稼働していないときも、換気装置２３からの換気量を常に一定量、各部屋Ａ〜Ｅに向けて供給することができる。
【符号の説明】
【００２７】
Ａ〜Ｅ…部屋
１…家屋（建築物）
２…空調換気システム
６…空調装置
１１…第１の空調用空気供給管路（空調用空気供給管路）
１２…第２の空調用空気供給管路（空調用空気供給管路）
１３…第３の空調用空気供給管路（空調用空気供給管路）
１４…第４の空調用空気供給管路（空調用空気供給管路）
１５…第５の空調用空気供給管路（空調用空気供給管路）
２０…合流部
２３…換気装置
２４…外気
２５…換気用空気送給管路
２５ａ…一端
２５ｂ…他端
３０…送風機
３１…第１の換気用空気送給管路（換気用空気送給管路）
３２…第２の換気用空気送給管路（換気用空気送給管路）
３３…第３の換気用空気送給管路（換気用空気送給管路）
３４…第４の換気用空気送給管路（換気用空気送給管路）
３５…第５の換気用空気送給管路（換気用空気送給管路）
３６…空調風
３７…空気（換気風）
【図１】
2012107845.tif 000003
【図２】
2012107845.tif 000004
【図３】
2012107845.tif 000005